(57)【要約】【課題】自己の位置情報が提供されていることを認識することが出来る提供システム及び携帯端末を提供する。【解決手段】位置情報提供システムは、移動体通信網と、移動体通信網に接続されるユーザ端末及び他のユーザ端末と、移動体通信網を経由してユーザ端末と接続されるネットワークと、ネットワークを経由してユーザ端末と接続されるサーバとを有する。サーバは、ユーザ端末の位置情報の送信を監視する監視手段と、監視手段の監視の結果、他のユーザ端末に位置情報を送信している場合には、他のユーザ端末に位置情報を送信していることを示す送信情報を、ユーザ端末に送信する手段とを有する。ユーザ端末は、送信情報を受信し、他のユーザ端末に位置情報を送信していることをユーザ端末に報知する報知手段を有する。【選択図】図１３
2011030245.tif 000002
【特許請求の範囲】
【請求項１】
ユーザ端末の位置情報をサーバが取得し、この取得した位置情報を他のユーザ端末に提供する位置情報提供システムにおいて、
移動体通信網と、前記移動体通信網に接続される前記ユーザ端末及び前記他のユーザ端末と、前記移動体通信網を経由して前記ユーザ端末と接続されるネットワークと、前記ネットワークを経由して前記ユーザ端末と接続されるサーバとを有し、
前記サーバは、前記ユーザ端末の位置情報の送信を監視する監視手段と、前記監視手段の監視の結果、前記他のユーザ端末に位置情報を送信している場合には、前記他のユーザ端末に位置情報を送信していることを示す送信情報を、前記ユーザ端末に送信する手段とを有し、
前記ユーザ端末は、前記送信情報を受信し、前記他のユーザ端末に位置情報を送信していることを前記ユーザ端末に報知する報知手段を有することを特徴とする位置情報提供システム。
【請求項２】
前記報知手段は、前記ユーザ端末の画面にアイコン表示して報知することを特徴とする請求項１に記載の位置情報提供システム。
【請求項３】
前記報知手段は、警告音を出力することにより報知することを特徴とする請求項１に記載の位置情報提供システム。
【請求項４】
ユーザ端末からの位置情報提供申込により、前記ユーザ端末の位置情報をサーバが取得し、この取得した位置情報を他のユーザ端末に提供する位置情報提供システムにおける、前記ユーザ端末において、
位置情報の提供がされていることを通知する通知手段を有することを特徴とする位置情報提供システムにおけるユーザ端末。
【請求項５】
前記通知手段は，前記ユーザ端末の画面にアイコン表示して位置情報の提供がされていることを通知することを特徴とする請求項４に記載の位置情報提供システムにおけるユーザ端末。
【請求項６】
位置情報提供申込をしたことを示す位置情報提供申込情報を記憶する記憶手段と、
前記記憶手段に位置情報提供申込情報が記憶されている場合に、位置情報提供申込がされていることを前記ユーザ端末に通知する通知手段と、
前記位置情報提供申込が解除された場合、前記記憶手段から位置情報提供申込情報を削除する記憶削除手段とを有することを特徴とする請求項４又は５に記載の位置情報提供システムにおけるユーザ端末。
【請求項７】
ユーザ端末からの位置情報提供申込により、前記ユーザ端末の位置情報をサーバが取得し、この取得した位置情報を他のユーザ端末に提供する位置情報提供システムにおける、ユーザ端末を、
位置情報の提供がされていることを通知する第１の通知手段と、
位置情報提供申込をしたことを示す位置情報提供申込情報を記憶する記憶手段と、
前記記憶手段に位置情報提供申込情報が記憶されている場合に、位置情報提供申込がされていることを前記ユーザ端末に通知する第２の通知手段と、
位置情報提供申込が解除された場合、前記記憶手段から位置情報提供申込情報を削除する記憶削除手段として機能させることを特徴とする位置情報提供システムにおけるユーザ端末のプログラム。
【請求項８】
前記通知手段を、前記ユーザ端末の画面にアイコン表示して通知させるように機能させることを特徴とする請求項７に記載の位置情報提供システムにおけるユーザ端末のプログラム。
【請求項９】
ユーザ端末の位置情報をサーバが取得し、この取得した位置情報を他のユーザ端末に提供する位置情報提供システムにおいて、
移動体通信網と、前記移動体通信網に接続される前記ユーザ端末及び前記他のユーザ端末と、前記移動体通信網を経由して前記ユーザ端末と接続されるネットワークと、前記ネットワークを経由して前記ユーザ端末と接続されるサーバとを有し、
前記ユーザ端末は、位置情報を送信していることを報知する報知手段を有することを特徴とする位置情報提供システム。
【発明の詳細な説明】
【技術分野】
【０００１】
本発明はユーザの携帯端末の位置情報をサーバが取得し、この取得した位置情報を他のユーザに提供する位置情報提供システムにおいて、位置情報を提供する提供者に正規に許可された被提供者のみに位置情報を提供する為の認証システム及びそれに関連する技術に関する。
【背景技術】
【０００２】
近年、ｉモード（登録商標）に代表されるように、近年の携帯電話のサービスは、従来の設置型の電話のように単なる通話サービスのみならず、コンテンツサーバからコンテンツを携帯電話に配信するサービスが盛んに行われている。
【０００３】
中でも、現在、又は次世代サービスにおいて、携帯電話の位置情報を提供するロケーションサービスや、ナビゲーションサービスが注目を浴びている。これらのサービス中で、自分の位置情報を自分の携帯電話にダウンロードできるだけでなく、自分の位置情報を特定の相手にも提供することにより、位置情報の被提供者が提供者の位置等を知ることができるサービスも提案されている。
【発明の概要】
【発明が解決しようとする課題】
【０００４】
しかしながら、これらの位置情報を他人に提供するサービスは、意図しない相手にも重要な位置情報を提供してしまう恐れがあり、セキュリティの面で問題があった。
【０００５】
また、いつまでも自分の位置情報というプライバシーに関する情報を、例え意図して許可した者であっても、第三者に見られ続けられるのは問題である。
【０００６】
そこで、本発明は上記問題を鑑みて発明されたものであって、その目的はユーザの携帯端末の位置情報をサーバが取得し、この取得した位置情報を他のユーザに提供する位置情報提供システムにおいて、位置情報を提供する提供者に正規に許可された被提供者のみに位置情報を提供する為の認証システムを提供することにある。
【０００７】
また、本発明の目的は、提供者に許可された者であっても、位置情報の提供を制限することにより、提供者のプライバシーを守ることのできる認証システムを提供することにある。
【０００８】
また、本発明の目的は、提供者のプライバシーの保護の為、自己の位置情報が提供されていることを認識することが出来る提供システム及び携帯端末を提供することにある。
【課題を解決するための手段】
【０００９】
上記目的を達成する第１の発明は、第１のユーザ端末の位置情報をサーバが取得し、この取得した位置情報を第２のユーザ端末に提供する位置情報提供システムにおいて、位置情報を提供する第１のユーザ端末により許可された第２のユーザ端末に位置情報の提供を制限する認証システムであって、
移動体通信網と、前記移動体通信網に接続される第１のユーザ端末及び第２のユーザ端末と、前記移動体通信網を経由して前記第１及び第２のユーザ端末に接続するネットワークと、前記ネットワークを経由して前記第１及び第２のユーザ端末と接続するサーバとを有し、
前記第１のユーザ端末は、
位置情報提供申込に際し、第１のユーザ端末の電子メールアドレスと、第２のユーザ端末の電子メールアドレスと、第１のユーザ端末の固有識別子とを送信する手段と、
暗証番号が記載された電子メールを受信する電子メール受信手段と、
前記暗証番号を、第２のユーザ端末に通知する手段とを有し、
第２のユーザ端末は、
電子メールを受信する電子メール受信手段と、
受信した電子メールからアクセス可能な第１のユーザ端末の位置情報受信申込ページに、第２のユーザ端末の固有識別子を付加してアクセスし、第１のユーザ端末の位置情報受信申込を行う手段と、
前記第１のユーザ端末より通知された暗証番号と、前記第２のユーザ端末の固有識別子とを付加して前記第１のユーザ端末の位置情報の受信を要求する手段と、
前記サーバから前記第１のユーザ端末の位置情報を受信し、位置情報を表示する手段とを有し、
前記サーバは、
前記第１のユーザ端末の位置情報を取得する位置情報取得手段と、
前記位置情報提供申込に応答して、暗証番号を生成する手段と、
前記位置情報提供申込に応答して、前記第１のユーザ端末の位置情報受信申込ページを生成する手段と、
前記第１のユーザ端末の位置情報受信申込ページのアドレスが記載された電子メールを生成し、この電子メールを、前記位置情報提供申込で得られた前記第２のユーザ端末の電子メールアドレスを宛先として送信する手段と、
前記第１のユーザ端末のメールアドレスと、前記第１のユーザ端末の固有識別子と、前記第２のユーザ端末のメールアドレスと、前記第２のユーザ端末の固有識別子と、前記第１のユーザ端末の位置情報受信申込ページのアドレス情報と、前記生成された暗証番号とが対応付けられて格納されるデータベースと、
前記位置情報提供申込で得られた前記第１のユーザ端末の電子メールアドレス、前記第２のユーザ端末の電子メールアドレス及び前記第１のユーザ端末の固有識別子と、前記生成された暗証番号及び前記第１のユーザ端末の位置情報受信申込ページのアドレス情報とを対応付けて前記データベースに格納する手段と、
前記第２のユーザ端末からの前記第１のユーザ端末の位置情報受信申込ページの送信要求から、前記第２のユーザ端末の固有識別子を取得し、この取得した固有識別子を、前記データベースに格納されている前記第１のユーザ端末の位置情報受信申込ページのアドレス情報に対応させてデータベースに格納する手段と、
前記第２のユーザ端末からの前記第１のユーザ端末の位置情報受信申込に応答し、前記第１のユーザ端末の位置情報受信申込ページのアドレス情報に対応した暗証番号と前記第１のユーザ端末の電子メールアドレスとを前記データベースから検索し、その暗証番号を記載した電子メールを生成し、この電子メールを前記検索された前記第１のユーザ端末の電子メールアドレスを宛先として送信する手段と、
前記第２のユーザ端末からの位置情報受信要求から、暗証番号及び前記第２のユーザ端末の固有識別子を取得し、この暗証番号と前記第２のユーザ端末の固有識別子とが、前記データベースに対応付けられて格納されているかを照合する手段と、
前記暗証番号と前記第２のユーザ端末の固有識別子とが、前記データベースに対応付けられて格納されている場合には、前記第１のユーザ端末の位置情報を前記第２のユーザ端末に送信する手段と
を有することを特徴とする。
【００１０】
上記目的を達成する第２の発明は、上記第１の発明において、前記第１のユーザ端末は、
前記位置情報提供申込があったことを示す位置情報提供申込情報を記憶する記憶手段と、
前記位置情報提供申込情報が記憶されている場合に、位置情報の提供申し込みがされていることを提供者に通知する通知手段と、
前記位置情報提供申込が解除された場合、前記記憶手段から前記位置情報提供申込情報を削除する手段と、
を有することを特徴とする。
【００１１】
上記目的を達成する第３の発明は、上記第２の発明において、前記通知手段は，第１のユーザ端末の画面にアイコン表示して通知することを特徴とする。
【００１２】
上記目的を達成する第４の発明は、上記第１から第３の発明のいずれかにおいて、前記サーバは、前記第１のユーザ端末の位置情報の送信を監視する監視手段と、前記監視手段の監視の結果、前記第２のユーザ端末に前記第１のユーザ端末の位置情報を送信している場合には、前記第２のユーザ端末に位置情報を送信していることを示す送信情報を、前記第１のユーザ端末に送信する手段とを有し、
前記第１のユーザ端末は、前記送信情報を受信し、前記第２のユーザ端末に位置情報を送信していることを報知する報知手段を有する
ことを特徴とする。
【００１３】
上記目的を達成する第５の発明は、上記第４の発明において、前記報知手段は、前記第１のユーザ端末の画面にアイコン表示して報知することを特徴とする。
【００１４】
上記目的を達成する第６の発明は、上記第４の発明において、前記報知手段は、警告音を出力することにより報知することを特徴とする。
【００１５】
上記目的を達成する第７の発明は、上記第１から第６の発明のいずれかにおいて、前記第１のユーザ端末は、
前記位置情報提供申込の際、位置情報の提供許可時間を送信する手段を有し、
前記サーバは、
前記提供許可時間と、前記第１のユーザ端末の電子メールアドレス、前記第２のユーザ端末の電子メールアドレス及び前記第１のユーザ端末の固有識別情報と、前記生成された暗証番号及び前記第１のユーザ端末の位置情報受信申込ページのアドレス情報とを対応付けて前記データベースに格納する手段と、
前記位置情報の前記第２のユーザ端末への送信時間を監視し、前記データベースに格納されている前記提供許可時間になると、前記位置情報の前記第２のユーザ端末への送信を中止する手段とを有することを特徴とする。
【００１６】
上記目的を達成する第８の発明は、第１のユーザ端末の位置情報をサーバが取得し、この取得した前記位置情報を第２のユーザ端末に提供する位置情報提供システムにおいて、前記位置情報を提供する前記第１のユーザ端末に許可された前記第２のユーザ端末に制限して位置情報を提供する為のサーバであって、
前記第１のユーザ端末の位置情報を取得する位置情報取得手段と、
位置情報提供申込に応答して、暗証番号を生成する手段と、
位置情報提供申込に応答して、前記第１のユーザ端末の位置情報受信申込ページを生成する手段と、
前記第１のユーザ端末の位置情報受信申込ページのアドレスが記載された電子メールを生成し、この電子メールを、位置情報提供申込で得られた前記第２のユーザ端末の電子メールアドレスを宛先として送信する手段と、
前記第１のユーザ端末のメールアドレスと、前記第１のユーザ端末の固有識別子と、前記第２のユーザ端末のメールアドレスと、前記第２のユーザ端末の固有識別子と、前記第１のユーザ端末の位置情報受信申込ページのアドレス情報と、前記生成された暗証番号とが対応付けられて格納されるデータベースと、
前記位置情報提供申込で得られた前記第１のユーザ端末の電子メールアドレス、前記第２のユーザ端末の電子メールアドレス及び前記第１のユーザ端末の固有識別子と、前記生成された暗証番号及び前記第１のユーザ端末の位置情報受信申込ページのアドレス情報とを対応付けて前記データベースに格納する手段と、
前記第２のユーザ端末からの前記第１のユーザ端末の位置情報受信申込ページの送信要求から、前記第２のユーザ端末の固有識別子を取得し、この取得した固有識別子を、前記データベースに格納されている前記第１のユーザ端末の位置情報受信申込ページのアドレス情報に対応させてデータベースに格納する手段と、
前記第２のユーザ端末からの前記第１のユーザ端末の位置情報受信要求に応答し、前記位置情報受信申込ページのアドレス情報に対応した暗証番号と前記第１のユーザ端末の電子メールアドレスとを前記データベースから検索し、その暗証番号を記載した電子メールを生成し、この電子メールを前記検索された前記第１のユーザ端末の電子メールアドレスを宛先として送信する手段と、
前記第２のユーザ端末からの前記第１のユーザ端末の位置情報受信要求から、暗証番号及び前記第２のユーザ端末の固有識別子を取得し、この暗証番号と前記第２のユーザ端末の固有識別子とが、前記データベースに対応付けられて格納されているかを照合する手段と、
前記暗証番号と前記第２のユーザ端末の固有識別子とが、前記データベースに対応付けられて格納されている場合には、前記第１のユーザ端末の位置情報を前記第２のユーザ端末に送信する手段と
を有することを特徴とする。
【００１７】
上記目的を達成する第９の発明は、上記第８の発明において、前記サーバは、前記第１のユーザ端末の位置情報の送信を監視する監視手段と、前記監視手段の監視の結果、前記第２のユーザ端末に前記第１のユーザ端末の位置情報を送信している場合には、前記第１のユーザ端末に、位置情報を送信していることを報知させる手段を有することを特徴とする。
【００１８】
上記目的を達成する第１０の発明は、上記第７又は第８の発明において、前記サーバは、
前記位置情報提供申込の際、前記第１のユーザ端末から送信されてくる位置情報の提供許可時間を受信する手段と、
前記提供許可時間と、前記第１のユーザ端末の電子メールアドレス、前記第２のユーザ端末の電子メールアドレス及び前記第１のユーザ端末の固有識別子と、前記生成された暗証番号及び前記第１のユーザ端末の位置情報受信申込ページのアドレス情報とを対応付けて前記データベースに格納する手段と、
位置情報の前記第２のユーザ端末への送信時間を監視し、前記データベースに格納されている前記提供許可時間になると、位置情報の前記第２のユーザ端末への送信を中止する手段とを有することを特徴とする。
【００１９】
上記目的を達成する第１１の発明は、ユーザ端末の位置情報をサーバが取得し、この取得した位置情報を他のユーザ端末に提供する位置情報提供システムにおいて、
移動体通信網と、前記移動体通信網に接続される前記ユーザ端末及び前記他のユーザ端末と、前記移動体通信網を経由して前記ユーザ端末と接続されるネットワークと、前記ネットワークを経由して前記ユーザ端末と接続されるサーバとを有し、
前記サーバは、前記ユーザ端末の位置情報の送信を監視する監視手段と、前記監視手段の監視の結果、前記他のユーザ端末に位置情報を送信している場合には、前記他のユーザ端末に位置情報を送信していることを示す送信情報を、前記ユーザ端末に送信する手段とを有し、
前記ユーザ端末は、前記送信情報を受信し、前記他のユーザ端末に位置情報を送信していることを前記ユーザ端末に報知する報知手段を有する
ことを特徴とする。
【００２０】
上記目的を達成する第１２の発明は、上記第１１の発明において、前記報知手段は、前記ユーザ端末の画面にアイコン表示して報知することを特徴とする。
【００２１】
上記目的を達成する第１３の発明は、上記第１１の発明において、前記報知手段は、警告音を出力することにより報知することを特徴とする。
【００２２】
上記目的を達成する第１４の発明は、ユーザ端末からの位置情報提供申込により、前記ユーザ端末の位置情報をサーバが取得し、この取得した位置情報を他のユーザ端末に提供する位置情報提供システムにおける、前記ユーザ端末において、
位置情報の提供がされていることを通知する通知手段を有することを特徴とする。
【００２３】
上記目的を達成する第１５の発明は、上記第１４の発明において、前記通知手段は，前記ユーザ端末の画面にアイコン表示して位置情報の提供がされていることを通知することを特徴とする。
【００２４】
上記目的を達成する第１６の発明は、位置情報提供申込をしたことを示す位置情報提供申込情報を記憶する記憶手段と、
前記記憶手段に位置情報提供申込情報が記憶されている場合に、位置情報提供申込がされていることを前記ユーザ端末に通知する通知手段と、
前記位置情報提供申込が解除された場合、前記記憶手段から位置情報提供申込情報を削除する記憶削除手段と
を有することを特徴とする。
【００２５】
上記目的を達成する第１７の発明は、ユーザ端末からの位置情報提供申込により、前記ユーザ端末の位置情報をサーバが取得し、この取得した位置情報を他のユーザ端末に提供する位置情報提供システムにおける、ユーザ端末を、
位置情報の提供がされていることを通知する第１の通知手段と、
位置情報提供申込をしたことを示す位置情報提供申込情報を記憶する記憶手段と、
前記記憶手段に位置情報提供申込情報が記憶されている場合に、位置情報提供申込がされていることを前記ユーザ端末に通知する第２の通知手段と、
位置情報提供申込が解除された場合、前記記憶手段から位置情報提供申込情報を削除する記憶削除手段として機能させることを特徴とする位置情報提供システムにおけるユーザ端末のプログラムである。
【００２６】
上記目的を達成する第１８の発明は、上記第１７の発明において、前記通知手段を、前記ユーザ端末の画面にアイコン表示して通知させるように機能させることを特徴とする位置情報提供システムにおけるユーザ端末のプログラムである。
【００２７】
上記目的を達成する第１９の発明は、ユーザ端末の位置情報をサーバが取得し、この取得した位置情報を他のユーザ端末に提供する位置情報提供システムにおいて、
移動体通信網と、前記移動体通信網に接続される前記ユーザ端末及び前記他のユーザ端末と、前記移動体通信網を経由して前記ユーザ端末と接続されるネットワークと、前記ネットワークを経由して前記ユーザ端末と接続されるサーバとを有し、
前記ユーザ端末は、位置情報を送信していることを報知する報知手段を有することを特徴とする。
【発明の効果】
【００２８】
以上の如く、本発明は被提供者からの位置情報の要求に際して、暗証番号と被提供者の携帯電話の識別情報（ユーザ識別子）とを用いて認証を行うので、位置情報の提供要求の詐称、位置情報を提供する者の指定時のミス等、予期せぬ位置情報の漏洩を防ぎ、セキュリティ効果を高める効果を有する。
【００２９】
また、提供者の位置情報が被提供者に提供されている間、位置情報が提供されていることを提供者に報知する手段を設けることにより、自分の位置情報が正式に許可した被提供者を含む第三者に送信されていることを知ることができる。
【００３０】
また、位置情報の送信を許可する許可時間を設けることにより、位置情報の送信に制限を設けることができる。
【００３１】
さらに、位置情報の提供申込を携帯端末側に記憶させ、位置情報の提供申込をしたことが提供者にいつも通知するように構成することで、提供者が位置情報の提供申込をしたことを忘れてしまい、提供者の知らない間に位置情報が被提供者に送信されるといったことがなくなる。また、位置情報の提供申込の解除も通知することにより、提供者が位置情報の提供申込が有効と勘違いする場合もなくなる。
【図面の簡単な説明】
【００３２】
【図１】図１は第１の実施の形態のブロック図である。
【図２】図２はＩＰサーバ１のブロック図である。
【図３】図３は位置情報データベース１３の一例を示す図である。
【図４】図４は認証データベース１７の一例を示す図である。
【図５】図５はゲートウェイサーバ２のブロック図である。
【図６】図６はユーザ識別子リストテーブル６０の一例を示す図である。
【図７】図７は携帯電話４のブロック図である。
【図８】図８は、提供者の位置情報の提供申し込みから、被提供者への暗証番号の通知までの動作を示す動作フローチャートである。
【図９】図９は、提供者の位置情報の提供申し込みから、被提供者への暗証番号の通知までの動作を示す動作フローチャートである。
【図１０】図１０は認証データベース１７の更新状況を示す図である。
【図１１】図１１は認証データベース１７の更新状況を示す図である。
【図１２】図１２は被提供者Ｂが提供者Ａの位置情報を取得するまでの動作を示す動作フローチャートである。
【図１３】図１３は第２の実施の形態を説明する為の図である。
【図１４】図１４は第２の実施の形態を説明する為の図である。
【図１５】図１５は第２の実施の形態を説明する為の図である。
【図１６】図１６は第３の実施の形態を説明する為の図である。
【図１７】図１７は第３の実施の形態を説明する為の図である。
【図１８】図１８は第４の実施の形態を説明する為の図である。
【発明を実施するための形態】
【００３３】
本発明の実施の形態を説明する。
【００３４】
尚、本実施の形態の説明において、携帯電話の機能又はサービスを用いて自己の位置情報を提供する者を提供者と称し、この提供者からナビゲーション情報の提供を受ける者を被提供者と称して説明する。
【００３５】
まず、本発明の第１の実施の形態を説明する。
【００３６】
図１は第１の実施の形態のブロック図である。
図１中、１は位置情報サービスを提供するインフォメーション・プロバイダーサーバ（ＩＰサーバ）、２はゲートウェイサーバであり、３は基地局であり、４及び５は携帯電話であり、６はゲートウェイサーバ２側の固定通信網であり、７はゲートウェイサーバ２とＩＰサーバ１とを結ぶ通信網（インターネット）であり、８は移動体通信網、９はメールサーバである。
【００３７】
次に、上述した構成要素について説明する。尚、基地局３、固定通信網６、通信網７（インターネット）、移動体通信網８及びメールサーバ９は、従来からあるものと同様な構成なので、詳細な説明は省略する。
【００３８】
まず、ＩＰサーバ１について説明する。図２はＩＰサーバ１のブロック図である。
【００３９】
図２中、１１はデータの送受信を行う送受信部である。
１２は位置情報の取得処理を行う位置情報処理部である。この位置情報処理部１２は、提供者の位置情報情報を取得する機能を有し、この取得した提供者の位置情報を、後述する提供者の携帯電話のユーザ識別子と対応付けて後述する位置情報データベース１３に格納するものである。
【００４０】
提供者の位置情報情報の取得の方法であるが、例えば、携帯端末の呼び出しに用いられる位置登録を用いる方法や、携帯端末が二以上の基地局に方位測定要求信号を送信し、各基地局から受信した方位データ及びＩＤコードに基づいて、位置情報を推定し、管理しているサーバに現在位置を通知する方法などが提案されている。しかしながら、本発明の前提となる位置情報の取得システムに関しては、他にも多くの技術が提案されており、これらの技術については公知なので、詳細な説明は省略する。
【００４１】
１４は記憶装置である。この記憶装置１４には、上述した位置情報データベース１３が格納されている。この位置情報データベース１３は、図３に示す如く、１レコードが、提供者のユーザ識別子が記載される提供者ユーザ識別子フィールドと、その提供者の位置情報が記載される位置情報フィールドとからなる。例えば、図３の例では、提供者ユーザ識別子フィールドには提供者のユーザ識別子"aaa"が記載され、位置情報フィールドには"10101…01"が記載されている。
【００４２】
１５は位置情報の提供案内の処理を行う案内処理部である。この案内処理部１５は、位置情報の提供者の携帯電話４から、位置情報の提供申し込みを受け、提供者のメールアドレス及び被提供者のメールアドレスの記載を促する申し込み画面を携帯電話４に送信し、提供者のユーザ識別子、提供者のメールアドレス及び被提供者のメールアドレスを取得する。また、その被提供者専用の案内画面を作成し、この案内画面の識別子である被提供者用案内画面識別子（例えば、案内画面のアドレス情報）を、取得した提供者のユーザ識別子、提供者のメールアドレス及び被提供者のメールアドレスと共に、後述するデータベース更新部１８に送信する。更に、被提供者が被提供者用の案内画面にアクセスしてきた時、被提供者の携帯電話のユーザ識別子も取得して、データベース更新部１８に送信する。
【００４３】
１６は第２の記憶装置である。この記憶装置１６には、被提供者の認証処理に用いられる認証データベース１７が格納されている。この認証データベース１７は、図４に示される如く、１レコードが、暗証番号が記載される暗証番号フィールドと、位置情報の提供者のメールアドレスが記載される提供者メールアドレスフィールドと、その提供者の携帯電話のユーザ識別子が記載される提供者ユーザ識別子フィールドと、位置情報の提供先である被提供者のメールアドレスが記載される被提供者メールアドレスフィールドと、その被提供者の携帯電話のユーザ識別子が記載される被提供者ユーザ識別子フィールドと、被提供者用案内画面識別子が記載される被提供者用案内画面識別子フィールドとから成る。
【００４４】
図４の例では、暗証番号フィールドには暗証番号"1111"が記載され、提供者メールアドレスフィールドには提供者のメールアドレス"xx@mail.ne.jp"が記載され、提供者ユーザ識別子フィールドには提供者のユーザ識別子"abc"が記載され、被提供者メールアドレスフィールドには被提供者のメールアドレス"yy@mail.ne.jp"が記載され、被提供者ユーザ識別子フィールドには被提供者のユーザ識別子"fge"が記載され、被提供者用案内画面識別子フィールドには被提供者用の案内画面識別子"g3d"が記載さている。
【００４５】
１８はデータベース更新部である。このデータベース更新部１８は、案内処理部１５から、被提供者用案内画面識別子、提供者のユーザ識別子、提供者のメールアドレス及び被提供者のメールアドレスを受信すると、認証データベース１７にレコードを追加する。そして、被提供者用案内画面識別子、提供者のユーザ識別子、提供者のメールアドレス及び被提供者のメールアドレスを、追加したレコードの対応するフィールドに記載する。最後に、ユニークな暗証番号を生成し、この暗証番号をそのレコードの暗証番号フィールドに記載する。
【００４６】
１９はメール生成部である。このメール生成部１９は、被提供者に提供を受けるか否かの確認メールを生成するものであり、生成する電子メールには被提供者用案内画面識別子を記載し、被提供者用の案内画面のリンクを設定する。また、暗証番号を提供者に通知するメールも生成する。
【００４７】
２０は認証処理部である。この認証処理部２０は、認証データベース１７を用いて、被提供者の認証処理を行う。そして、認証されると、提供者の位置情報を、位置情報データベース１３から読み出し、被提供者の携帯電話に送信する。
【００４８】
次に、ゲートウェイサーバ２について説明する。
ゲートウェイサーバ２は、ＩＰサーバ１へのゲートウェイの役割を持ち、携帯電話４，５からの要求に従って、ＩＰサーバ１に携帯電話からの情報を送信する役割を有する。
【００４９】
図５はゲートウェイサーバ２のブロック図である。図５中、５１はデータの送受信を行う送受信部であり、５２は携帯電話４，５とＩＰサーバ１との中継機能の処理を行う中継部であり、５３はユーザ識別子リストテーブル等が格納されたハードディスクである。
【００５０】
ハードディスク５３には、ユーザ識別子リストテーブル６０が格納されている。このユーザ識別子リストテーブル６０は、図６に示される如く、携帯電話４，５の電話番号と、この電話番号の携帯電話４，５を識別するための固有識別子と、この固有識別子と対の関係にあるユーザ識別子とが対応付けられて記述されたテーブルである。
【００５１】
ゲートウェイサーバ２を介して行われるウェブインターフェイス（ＨＴＭＬ）では、ゲートウェイサーバ２は、上述したユーザ識別子リストテーブル６０を用いて、携帯電話４からリクエストがあると、携帯電話４，５のリクエストに付与されてくる固有識別子を、この固有識別子に対応するユーザ識別子に変換し、リクエストをＩＰサーバ１に転送するように構成される。尚、このようなゲートウェイサーバ２の代表的なものとして、NTT  DoCoMo（登録商標）が提供しているｉモードサービスにおけるｉモードサーバがある。
【００５２】
次に、携帯電話４，５について説明する。
【００５３】
図７は携帯電話４のブロック図である。図７中、７１は画像を表示するディスプレイであり、７２はディスプレイ７１に画像を表示する為のＶＲＡＭ（Video Random Access Memory）であり、７３はデータを送受信する為の送受信部であり、７４は電子メールを受信する電子メール受信部であり、７５は受信した電子メールのリンク先にリンクしたり、位置情報を受信したりするサービス処理部であり、７６はテンキーなどの操作部である。
【００５４】
尚、携帯電話４は、ＩＰサーバ１にリクエストなどを送信する場合、自己を識別するための固有識別子をリクエスト等に付加して送信するように構成されている。
【００５５】
次に、上述の構成における本発明の実施の形態の動作を説明する。
まず、提供者の位置情報の提供申し込みから、被提供者への暗証番号の通知までの動作について説明する。
【００５６】
図８及び図９は、提供者の位置情報の提供申し込みから、被提供者への暗証番号の通知までの動作を示す動作フローチャートである。
【００５７】
まず、携帯電話４を持つ提供者Ａは、自己の位置情報の提供を申し込む為の申し込み画面の送信をリクエストする（Ｓｔｅｐ  １００）。
【００５８】
ＩＰサーバ１では、受信したリクエストに応答して、案内処理部１５が申し込み画面をレスポンスとして携帯電話４に送信する（Ｓｔｅｐ  １０１）。
【００５９】
携帯電話４では申し込み画面を受信し、画面に表示された指示に従って、提供者Ａのメールアドレスと、自己の位置情報を提供する被提供者Ｂのメールアドレスとを記載し、ＩＰサーバ１に送信する（Ｓｔｅｐ  １０２）。尚、ここでは、提供者Ａのメールアドレスを"a3@mail.ne.jp"とし、被提供者Ｂのメールアドレスを"b3@mail.ne.jp"として、以下説明する。
【００６０】
ＩＰサーバ１では、案内処理部１５が、申し込み情報、すなわち提供者Ａのメールアドレス及び被提供者Ｂのメールアドレスと、ゲートウェイサーバ２によって、携帯電話４の固有識別子から変換されたユーザ識別子とを受信し、これらの情報を取得する（Ｓｔｅｐ  １０３）。さらに、被提供者Ｂ用の案内画面を作成し、この案内画面の識別子である被提供者用案内画面識別子を、取得した提供者のユーザ識別子、提供者のメールアドレス及び被提供者のメールアドレスと共に、データベース更新部に送信する（Ｓｔｅｐ  １０４）。尚、ここでは、提供者Ａのユーザ識別子を"aaa"とし、被提供者Ｂ用の案内画面の識別子である被提供者用案内画面識別子を"gb3"とする。
【００６１】
次に、データベース更新部１８は、提供者のメールアドレス、提供者のユーザ識別子、被提供者のメールアドレス及び被提供者用案内画面識別子を受信すると、新たにレコードを追加し、そのレコードの暗証番号を生成する（Ｓｔｅｐ  １０５）。ここでは、生成した暗証番号を"1234"とする。
【００６２】
そして、データベース更新部１８は、追加されたレコードの暗証番号フィールドに生成した暗証番号を記載し、提供者メールアドレスフィールドに提供者Ａのメールアドレスを記載し、提供者ユーザ識別子フィールドに提供者Ａのユーザ識別子を記載し、被提供者メールアドレスフィールドには被提供者Ｂのメールアドレスを記載し、被提供者用案内画面識別子フィールドには提供者Ｂの被提供者用案内画面識別子を記載する（Ｓｔｅｐ  １０６）。
【００６３】
具体的に説明すると、認証データベース１７の一つのレコードの、暗証番号フィールドには暗証番号"1234"が記載され、提供者メールアドレスフィールドには提供者Ａのメールアドレス"a3@mail.ne.jp"が記載され、提供者ユーザ識別子フィールドには提供者Ａのユーザ識別子"aaa"が記載され、被提供者メールアドレスフィールドには被提供者Ｂのメールアドレス"b3@mail.ne.jp"が記載され、被提供者用案内画面識別子フィールドには提供者Ｂの被提供者用案内画面識別子"gb3"が記載される。図１０は、この場合の認証データベース１７の更新状況を示す図である。
【００６４】
認証データベース１７の更新処理が終了すると、メール生成部は、被提供者Ｂに通知する確認電子メールを生成する（Ｓｔｅｐ  １０７）。この確認電子メールには、被提供者用案内画面識別子を含む被提供者Ｂ用の案内画面をリンク先として設定し、電子メールを受信した被提供者Ｂが電子メールに設定されているリンクボタンを押すことにより、被提供者Ｂ用の案内画面リンクされるようにする。そして、生成された電子メールを、被提供者Ｂのメールアドレスに送信する（Ｓｔｅｐ  １０８）。尚、本説明では、電子メールの送信先のアドレス、すなわち被提供者Ｂのメールアドレスは"b3@mail.ne.jp"なので、"b3@mail.ne.jp"を送信先アドレスとして送信する。
【００６５】
被提供者Ｂの携帯電話５では、確認メールを受信する（Ｓｔｅｐ  １０９）。そして、電子メールに設定されたリンク先にアクセスする（Ｓｔｅｐ  １１０）。
【００６６】
ＩＰサーバ１では、受信したリクエストに応答して、被提供者用案内画面識別子に対応する被提供者Ｂ専用の被提供者用案内画面を送信する（Ｓｔｅｐ  １１１）。
【００６７】
被提供者Ｂの携帯電話５では被提供者用案内画面を受信し（Ｓｔｅｐ  １１２）、位置情報の提供を受けるか否かの決定を行い、承諾情報を送信する（Ｓｔｅｐ  １１３）。例えば、位置情報の提供を承諾するならば、画面に表示されている“はい”選択する。
【００６８】
被提供者Ｂの承諾情報を受信したＩＰサーバ１では、案内処理部が、ゲートウェイサーバ２によって携帯電話５の固有識別子から変換された被提供者Ｂのユーザ識別子を取得する（Ｓｔｅｐ  １１４）。ここでは、取得した被提供者Ｂのユーザ識別子を"bbb"とする。
【００６９】
データベース更新部１８は、被提供者用案内画面識別子を持つレコードの被提供者ユーザ識別子フィールドに、取得した被提供者Ｂのユーザ識別子を記載する（Ｓｔｅｐ  １１５）。
【００７０】
具体的に説明すると、被提供者Ｂの被提供者用案内画面識別子は"gb3"なので、この"gb3"が記載されているレコードの被提供者ユーザ識別子フィールドに、取得した被提供者Ｂのユーザ識別子"bbb"を記載する。図１１は、この場合の認証データベース１７の更新状況を示す図である。
【００７１】
次に、認証データベース１７の更新処理が終了すると、メール生成部は、提供者Ａに暗証番号を通知する暗証番号通知電子メールを生成する（Ｓｔｅｐ  １１６）。この暗証番号通知電子メールには、被提供者Ｂのユーザ識別子を記載したレコードの暗証番号フィールドに記載されている暗証番号を記載される。そして、生成された電子メールを、提供者Ａのメールアドレスに送信する（Ｓｔｅｐ  １１７）。具体的に説明すると、暗証番号通知電子メールに記載される暗証番号は"1234"である。また、電子メールの送信先のアドレス、すなわち提供者Ａのメールアドレスは"a3@mail.ne.jp"であり、"a3@mail.ne.jp"を送信先アドレスとして送信する。
【００７２】
提供者Ａの携帯電話４では、暗証番号通知メールを受信する（Ｓｔｅｐ  １１８）。そして、記載されている暗証番号を、電話等の手段により被提供者Ｂに通知する（Ｓｔｅｐ  １１９）。
【００７３】
被提供者Ｂは、電話等の手段により、暗証番号を提供者Ｂより取得する（Ｓｔｅｐ  １２０）。
【００７４】
次に、被提供者Ｂが提供者Ａの位置情報を取得するまでの動作について説明する。
図１２は被提供者Ｂが提供者Ａの位置情報を取得するまでの動作を示す動作フローチャートである。
【００７５】
まず、提供者Ｂは、提供者Ａの位置情報を取得するため、ＩＰサーバ１に提供案内画面をリクエストする（Ｓｔｅｐ  ２００）。
【００７６】
ＩＰサーバ１では、受信したリクエストに応答して、案内処理部１５が提供案内画面をレスポンスとして携帯電話４に送信する（Ｓｔｅｐ  ２０１）。
【００７７】
携帯電話４では申し込み画面を受信し（Ｓｔｅｐ  ２０２）、画面に表示された指示に従って、暗証番号を記載し、ＩＰサーバ１に送信する（Ｓｔｅｐ  ２０３）。尚、ここでは、暗証番号は"1234"であるので、暗証番号は"1234"が送信される。
【００７８】
ＩＰサーバ１では、案内処理部１５が、暗証番号と、ゲートウェイサーバ２によって携帯電話４の固有識別子から変換されたユーザ識別子とを受信し（Ｓｔｅｐ  ２０４）、これらの情報を認証部処理部２０に送信する。
【００７９】
認証部処理部２０では、受信した暗証番号が記載されているレコードを、認証データベース１７から検索する。そして、該当レコードの被提供者ユーザ識別子フィールドに記載されているユーザ識別子と、取得したユーザ識別子とを照合する。そして、レコードに記載されているユーザ識別子と取得したユーザ識別子とが、一致している場合には、提供者より位置情報の提供を正規に許可された被提供者であると判断する（Ｓｔｅｐ  ２０５）。この場合、該レコードの提供者ユーザ識別子フィールドに記載されているユーザ識別子を取得し（Ｓｔｅｐ  ２０６）、このユーザ識別子に対応する位置情報を、位置情報データベースから取得する（Ｓｔｅｐ  ２０７）。そして、取得した位置情報を、被提供者Ｂに送信する（Ｓｔｅｐ  ２０８）。
【００８０】
例えば、認証部処理部２０が受け取った暗証番号が"1234"であり、被提供者ユーザ識別子が"bbb"である場合、図１１の認証データベース１７に記載されていものと暗証番号及び被提供者ユーザ識別子が一致する。この場合には、提供者より正規に許可された被提供者が、提供者の位置情報を要求しているものと判断する。
【００８１】
一方、一致していない場合には、提供者より位置情報の提供を正規に許可された被提供者でないと判断し、エラーを送信する（Ｓｔｅｐ  ２０６）。
【００８２】
被提供者の携帯電話５は位置情報を受信し（Ｓｔｅｐ  ２１０）、携帯電話５に位置情報が表示される（Ｓｔｅｐ  ２１１）。
【００８３】
以上の如く、本発明は被提供者からの位置情報の要求に際して、暗証番号と被提供者の携帯電話の識別情報（ユーザ識別子）とを用いるので、位置情報の提供要求の詐称、位置情報を提供する者の指定時のミス等、予期せぬ位置情報の漏洩を防ぎ、セキュリティ効果を高める効果を有する。
【００８４】
第２の実施の形態を説明する。
【００８５】
第１の実施の形態では、位置情報の提供者に許可された被提供者のみに、位置情報が提供される認証システムを説明した。
しかし、提供者からすると、被提供者に位置情報の送信が正しくされているかのか不安である。また、提供者が正式に許可した被提供者であっても、その後なんらかの事情により、位置情報を提供したくない場合もある。さらに、被提供者の携帯電話と暗証番号とが、盗難等により悪意の者にわたった場合、提供者が位置情報の提供がされていることを知る手段がなければ、不都合である。
【００８６】
そこで、第二の実施の形態では、提供者の位置情報が被提供者に提供されている間、位置情報が提供されていることを、提供者に報知する手段を設けたことを特徴とする。
【００８７】
上記の特徴を達成する為、図１３に示される如く、ＩＰサーバ１に位置情報の被提供者への送信を監視する監視部を設け、位置情報が送信されている間、この監視部９０により提供者の携帯電話に位置情報が送信されていることを示す位置情報送信情報を送信する。
【００８８】
一方、携帯電話は、上述した位置情報送信情報を受信すると、図１４に示す如く、位置情報が被提供者に送信されていることを提供者に報知する報知部９１を設ける。この報知部は、例えば、図１５に示される如くディスプレイにアイコンを表示させたり、警告音を発生させたりする。
【００８９】
このような構成により、提供者は、自分の位置情報が正式に許可した被提供者を含む第三者に送信されていることを知ることができる。
【００９０】
第３の実施の形態を説明する。
第３の実施の形態は、第１の実施の形態において、被提供者に位置情報の提供を許可する許可時間を、提供者が予め設定することができることを特徴とする。
【００９１】
上記の特徴を達成する為、図１６に示される如く、ＩＰサーバ１の認証データベース１７上に許可時間が記載されるフィールドを設ける。そして、提供者が申し込みを行う際、メールアドレス等と共に許可時間を取得し、認証データベース１７に記載する。
【００９２】
そして、図１７に示される如く、ＩＰサーバ１のタイマー１００により、位置情報の送信開始から時間をカウントし、許可時間が経過すると、認証処理部２０は位置情報の送信を中止する。
【００９３】
このように構成することにより、大事な位置情報の送信に制限を設けることができる。
【００９４】
第４の実施の形態について説明する。
第４の実施の形態は、提供者の位置情報の提供申し込みを、提供者の携帯電話が記憶し、位置情報の提供申し込みがされていることを提供者に表示等により通知し、提供者に注意を喚起することを特徴とする。
【００９５】
上記の特徴を達成する為に、携帯電話４は、第１の実施の形態の携帯電話４の構成に加え、図１８に示す如く、サービス処理部７５より出力される、位置情報の提供申し込みをしたことを示す位置情報提供申込情報が記憶される記憶部１００と、記憶部１００に位置情報の提供申し込みが記憶されている場合に、位置情報の提供申し込みがされていることを提供者に通知する通知部１０１とを有している。
【００９６】
更に、携帯電話４は、位置情報の提供申し込みが解除された場合、記憶部１００から位置情報提供申込情報を削除する記憶削除部１０２を有している。
【００９７】
上記の構成において、まず、サービス処理部７５は、提供者の位置情報の提供申し込みがＩＰサーバ１に送信されると、位置情報の提供申し込みをしたことを示す位置情報提供申込情報を記憶部１００に格納する。通知部１０１は、記憶部１００を監視し、位置情報提供申込情報が格納されている場合には、例えば、図１５と同様に、ディスプレイ７１に位置情報の提供申し込みをしたことを示すアイコンを表示する。
【００９８】
また、位置情報の提供申し込みが、例えば、時間制限や、有効期間などの条件が付されている場合、サービス処理部７５は位置情報提供申込情報にその解除条件も含めて記憶部１００に格納する。この場合、記憶削除部１０２は、位置情報提供申込情報の時間制限や、有効期間といった解除条件を読取り、解除条件となった場合には位置情報提供申込情報を、記憶部１００より削除する。すると、通知部１０１は、今までディスプレイに表示されていたアイコン等の表示を中止し、位置情報の提供申込が解除されたことを、提供者に通知する。
【００９９】
このような構成にすることにより、位置情報の提供申込をしたことが提供者にいつも通知されので、提供者が位置情報の提供申込をしたことを忘れてしまい、提供者の知らない間に位置情報が被提供者に送信されるといったことがなくなる。
【０１００】
さらに、位置情報の提供申込が解除されると、解除されたことも提供者に通知されるので、位置情報の提供申込が有効と勘違いする場合もなくなる。
【０１０１】
以上で実施の形態の説明を終わるが、上述した各実施の形態を適時組み合わせて用いることもできる。例えば、第１の実施の形態に、第２、第３及び第４の実施の形態を加えた構成にすることも可能である。
【符号の説明】
【０１０２】
１        インフォメーション・プロバイダーサーバ（ＩＰサーバ）
２        ゲートウェイサーバ
３        基地局
４，５    携帯電話
６        固定通信網
７        通信網（インターネット）
８        移動体通信網
９        メールサーバ
【図３】
2011030245.tif 000003
【図５】
2011030245.tif 000004
【図９】
2011030245.tif 000005
【図１５】
2011030245.tif 000006
【図１８】
2011030245.tif 000007
【図１】
2011030245.tif 000008
【図２】
2011030245.tif 000009
【図４】
2011030245.tif 000010
【図６】
2011030245.tif 000011
【図７】
2011030245.tif 000012
【図８】
2011030245.tif 000013
【図１０】
2011030245.tif 000014
【図１１】
2011030245.tif 000015
【図１２】
2011030245.tif 000016
【図１３】
2011030245.tif 000017
【図１４】
2011030245.tif 000018
【図１６】
2011030245.tif 000019
【図１７】
2011030245.tif 000020